(57)【要約】【課題】通信異常が起きた場合に、自動的に正常な状態に復帰させることができる遠隔監視システムを提供することにある。【解決手段】監視装置Ｂには各センサ端末Ａｎと通信ドライバＩＣ１２との間の通信状態を監視する通信監視機能を備えたマイコン１０を設けてある。マイコン１０は通信ドライブＩＣに起因する通信異常が検出されたときには、電源部１３から通信ドライバＩＣ１２への電源供給をスイッチ手段１５でオンオフして通信ドライバＩＣ１２の電源リセットを行う、またセンサ端末Ａｎに起因する通信異常が検出されたときには、電源部１２からセンサ端末Ａｎ及び通信ドライバＩＣ１２への電源供給をスイッチ手段１４でオンオフしてこれらの電源リセットを行う。【選択図】図１
2005020272.tif 000002
【特許請求の範囲】
【請求項１】
固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する通信ドライバと、電源線を介して各センサ端末に電源を供給するとともに通信ドライバに電源を供給する電源部を備えている監視装置とで構成される遠隔監視システムにおいて、監視装置には各センサ端末と通信ドライバとの間の通信状態を監視する通信監視手段と、該通信監視手段で通信異常が検出されたときに、電源部から通信ドライバへの電源供給をオンオフするするリセット手段とを備えていることを特徴とする遠隔監視システム。
【請求項２】
固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する通信ドライバと、電源線を介して各センサ端末に電源を供給するとともに通信ドライバに電源を供給する電源部を備えている監視装置とで構成される遠隔監視システムにおいて、監視装置には各センサ端末と通信ドライバとの間の通信状態を監視する通信監視手段と、該通信監視手段で通信異常が検出されたときに、電源部からセンサ端末及び通信ドライバへの電源供給をオンオフするリセット手段とを備えていることを特徴とする遠隔監視システム。
【請求項３】
固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する通信ドライバと、電源線を介して各センサ端末に電源を供給するとともに通信ドライバに電源を供給する電源部を備えている監視装置とで構成される遠隔監視システムにおいて、監視装置には各センサ端末と通信ドライバとの間の通信状態を監視する通信監視手段と、該通信監視手段で通信ドライブに起因する通信異常が検出されたときに、電源部から通信ドライバへの電源供給をオンオフする第１のリセット手段と、通信監視手段でセンサ端末に起因する通信異常が検出されたときに、電源部からセンサ端末及び通信ドライバへの電源供給をオンオフする第２のリセット手段とを備えていることを特徴とする遠隔監視システム。
【請求項４】
電源部から通信ドライバ及びセンサ端末への電源供給のオンオフを行うリセット手段を、電源部から通信ドライバ及びセンサ端末への電源供給を任意にオンオフするスイッチ手段と兼用していることを特徴とする請求項１乃至３の何れか記載の遠隔監視システム。
【請求項５】
電源部から通信ドライバ及びセンサ端末への電源供給のオンオフを行うリセット手段を、ネットワークを通じて外部から送られてくる指令でオフさせる手段を監視装置に備えていることを特徴とする請求項１乃至４の何れか記載の遠隔監視システム。
【発明の詳細な説明】
【０００１】
【発明の属する技術分野】
本発明は、遠隔から監視対象の物理量を監視する遠隔監視システムに関するものである。
【０００２】
【従来の技術】
従来、機器の周囲温度や湿度などの物理量を遠隔から監視するものとして、ダラス・セミコンダクタ社が開発した「１ワイヤ・バス・システム」を利用した遠隔監視システムが提供されている（特許文献１参照）。この「１ワイヤ・バス・システム」では、固有のＩＤコードが割り当てられたデバイスが１線（実際には通信線とグランドを含めた２線）式の通信ケーブルによりホスト・コントローラにデイジチェーンで接続され、ＩＤコードによってホスト・コントローラが個々のデバイスを識別して各デバイスとの間でデータ（例えば、温度や湿度の計測データ）を受信することができるようになっている。
【０００３】
【特許文献１】
特表２００１−５０８５６２号公報（第７−８頁、第１図）
【０００４】
【発明が解決しようとする課題】
ところで上述の従来システムでは、コントローラ側の動作がフリーズ状態に陥ったり、或いはセンサ端末がフリーズ状態に陥いった場合、ユーザーがこれを発見するまで、システムが異常なまま動作し続ける恐れがあった。
【０００５】
本発明は上記の点に鑑みて為されたものであり、その目的は通信異常が起きた場合に、自動的に正常な状態に復帰させることができる遠隔監視システムを提供することにある。
【０００６】
【課題を解決するための手段】
上述の目的を達成するために、請求項１の発明では、固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する通信ドライバと、電源線を介して各センサ端末に電源を供給するとともに通信ドライバに電源を供給する電源部を備えている監視装置とで構成される遠隔監視システムにおいて、監視装置には各センサ端末と通信ドライバとの間の通信状態を監視する通信監視手段と、該通信監視手段で通信異常が検出されたときに、電源部から通信ドライバへの電源供給をオンオフするリセット手段とを備えていることを特徴とする。
【０００７】
請求項１の発明によれば、通信ドライバのフリースが起因となる通信異常が起きた場合に、自動的に通信ドライバを電源リセットすることで、通信ドライバを正常に動作できる状態に復帰させることができ、その結果長時間に亘るシステムダウンを防ぐことができる。
【０００８】
請求項２の発明では、固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する通信ドライバと、電源線を介して各センサ端末に電源を供給するとともに通信ドライバに電源を供給する電源部を備えている監視装置とで構成される遠隔監視システムにおいて、監視装置には各センサ端末と通信ドライバとの間の通信状態を監視する通信監視手段と、該通信監視手段で通信異常が検出されたときに、電源部からセンサ端末及び通信ドライバへの電源供給をオンオフするリセット手段とを備えていることを特徴とする。
【０００９】
請求項２の発明によれば、センサ端末のフリースが起因となる通信異常が起きても、自動的にセンサ端末及び通信ドライブを同時に電源リセットすることで、センサ端末及び通信ドライバを正常に動作できる状態に復帰させることができ、その結果長時間に亘るシステムダウンを防ぐことができる。
【００１０】
請求項３の発明では、固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する通信ドライバと、電源線を介して各センサ端末に電源を供給するとともに通信ドライバに電源を供給する電源部を備えている監視装置とで構成される遠隔監視システムにおいて、監視装置には各センサ端末と通信ドライバとの間の通信状態を監視する通信監視手段と、該通信監視手段で通信ドライブに起因する通信異常が検出されたときに、電源部から通信ドライバへの電源供給をオンオフする第１のリセット手段と、通信監視手段でセンサ端末に起因する通信異常が検出されたときに、電源部からセンサ端末及び通信ドライバへの電源供給をオンオフする第２のリセット手段とを備えていることを特徴とする。
【００１１】
請求項３の発明によれば、通信ドライバに起因する通信異常と、センサ端末に起因する通信異常の何れが起きても電源リセットにより正常に動作できる状態に復帰させることができ、そのため高い信頼性を得ることができ、その上通信ドライバが起因する通信異常のようにセンサ端末の電源リセットが行う必要がない場合、通信ドライバのみを電源リセットすることができるため素早い復帰が可能となる。
【００１２】
請求項４の発明では、請求項１乃至３の何れかの発明において、電源部から通信ドライバ及びセンサ端末への電源供給のオンオフを行うリセット手段を、電源部から通信ドライバ及びセンサ端末への電源供給を任意にオンオフするスイッチ手段と兼用していることを特徴とする。
【００１３】
請求項４の発明によれば、センサ端末の追加、削減等を行う場合等の施工時に監視装置全体の電源を落とすことなく、センサ端末や通信ドライバへの電源をオフすることができ、そのため施工時に結線間違いなど起きてもセンサ端末や通信ドライバにダメージを与えることがない。
【００１４】
請求項５の発明では、請求項１乃至４の何れかの発明において、電源部から通信ドライバ及びセンサ端末への電源供給のオンオフを行うリセット手段を、ネットワークを通じて外部から送られてくる指令でオフさせる手段を監視装置に備えていることを特徴とする。
【００１５】
請求項５の発明によれば、センサ端末が異常が発生した場合に、遠隔から電源をオフさせることもできる。
【００１６】
【発明の実施の形態】
以下、本発明を多数の機器の周囲温度を遠隔から監視する温度監視システムに適用した実施形態について、図面を参照して詳細に説明する。但し、本発明における監視対象の物理量は温度に限定されるものではなく、湿度などの他の物理量も監視対象になり得ることは言うまでもない。
【００１７】
本実施形態の遠隔監視システムは、従来技術で説明したダラス・セミコンダクタ社の「１ワイヤ・バス・システム」を利用するものであって、図１に示すように機器の周囲温度を計測する複数のセンサ端末Ａ１，Ａ２，…と、各センサ端末Ａｎ（ｎ＝１，２，…）と通信ケーブルＣにより接続され、各々のセンサ端末Ａｎから送信される物理量（温度）の計測データを通信ケーブルＣを介して受信する監視装置Ｂとで構成される。
【００１８】
監視装置Ｂは、マイクロコンピュータ１０と、各センサ端末Ａｎの計測データの推移やアクセス履歴等ログ情報を記憶する記憶手段や、ＩＤサーチ時にサーチしたＩＤコードを次のＩＤサーチが終了するまで記憶する記憶手段を構成するメモリ１１と、センサ端末Ａｎとの間でデータ通信を行うための通信ドライバＩＣ１２と、３端子レギュレータＩＣからなり、通信ドライバＩＣ１２並びにセンサ端末Ａｎの動作電源ＶＤＤを供給する電源部１３とを具備し、マイコン１０及びメモリ１１への電源は電源部１３とは独立した電源部（図示せず）から電源供給を行うようなっている。
【００１９】
また監視装置Ｂ内では電源部１３の出力端と電源線３１とを接続する電路にスイッチ手段１４を挿入するとともに、このスイッチ手段１４の挿入位置よりも電源線３１側の電路にスイッチ手段１５を介して通信ドライバＩＣ１２の電源端子を接続している。これらのスイッチ手段１４，１５は半導体スイッチ素子により構成され、マイコン１０によって制御されるもので、後述するリセット手段を構成する
通信ドライバＩＣ１２は、「１ワイヤ・バス・システム」のバス制御用ドライバＩＣ（ダラス・セミコンダクタ社製  ＤＳ２４８０など）からなり、マイコン１０とセンサ端末Ａｎが具備する温度センサＩＣ（後述する）とのインタフェースの役割を果たすものである。
【００２０】
通信ケーブルＣは、給電用の電源線３１、通信線３２並びに接地線３３を有し、例えば、両端にＲＪ−１１と呼ばれる電話回線用のモジュラプラグが接続されたペア線のケーブル（所謂モジュラケーブル）によって構成される。
【００２１】
センサ端末Ａｎは、温度センサやデータの送受信回路、並びに固有のＩＤコードを記憶したＲＯＭなどを１チップに集積化した温度センサＩＣ（ダラス・セミコンダクタ社製  ＤＳ１８２０など）１と、通信ケーブルＣが接続される２つの接続部２Ａ，２Ｂとを具備する。尚接続部２Ａ，２Ｂは通信ケーブルＣのモジュラプラグが挿抜自在に接続されるモジュラジャックから構成される。マイコン１０は通信部１４を通じてインターネット等のネットワークＮＴに接続され、ネットワークＮＴ上のネット端末２０のＷｅｂブラウザで閲覧可能なＷｅｂページを提供するＷｅｂサーバ機能１０ａを備えている。
【００２２】
図２は温度センサＩＣ１のブロック図を示しており、温度に応じた電気信号を出力するセンサ部３と、センサ部３から出力される電気信号を温度の計測データに変換するデータ変換部４と、監視装置Ｂから送信されるデータの処理やデータ変換部４で変換された計測データの送信制御を行うコントロール部５と、通信線３２を介して監視装置Ｂの通信ドライバＩＣ１２との間でデータの送受信を行うとともに固有のＩＤを記憶するＲＯＭや電源線３１で供給される動作電源ＶＤＤを各部に送る送受信部６とを具備している。この送受信部６並びに監視装置Ｂの通信ドライバＩＣ１２は、図示しない抵抗でプルアップされた通信線３２と接地線３３の間に挿入されたトランジスタをオン・オフすることで２値の信号を送信しており、単位時間（タイムスロット）の間のＬレベルのパルス幅でデータが表現される。また、２つの接続部２Ａ，２Ｂは送受信部６に対して並列に接続されており、両者を接続する電源線３１と通信線３２との間にフィルタ部の抵抗Ｒが挿入され、同じく両者を接続する通信線３２と接地線３３との間にフィルタ部のコンデンサＣが挿入されている。尚、温度センサＩＣ１並びに通信ドライバＩＣ１２の詳細な構成及び動作については説明を省略する。
【００２３】
上述のように構成される本実施形態の遠隔監視システムによれば、施工完了後などにおいて、通信線３２に接続されているセンサ端末ＡｎのＩＤコードが監視装置Ｂ側では未知であるため、まず監視装置Ｂ側から接続されているセンサ端末ＡｎのＩＤコードをサーチする動作モードを設定する。
【００２４】
而して本実施形態の遠隔監視システムでは、通信線３２に接続されている全センサ端末ＡｎのＩＤコードをサーチして予めメモリ１１に登録し、その後通常動作に移行することになり、通常動作に移行すると、各センサ端末Ａｎは監視対象とする機器の周囲温度（雰囲気温度）を逐次計測する。そして監視装置Ｂから自己のＩＤコードによって呼び出され計測データの送信指示のコマンドを受け取ると、計測データを通信ケーブルＣを介して監視装置Ｂに送信し、監視装置Ｂのマイコン１０ではセンサ端末Ａｎから送られてくる計測データの推移やセンサ端末Ａｎに対するアクセスなどの履歴情報をメモリ１１にログ情報として記憶させる。またマイコン１０は計測データに基づいて機器の動作状態を監視し、例えば計測データの温度値が機器の動作保証範囲を外れるような異常が発生していると判断される場合にネットワークを通じてマイコン１０がネット端末へ通知するようにプログラムされている。
【００２５】
そしてマイコン１０ではＣＲＣチェックなどにより、センサ端末Ａｎから送信されてくる計測データのエラーをチェックしており、エラーが検出された場合には再度当該センサ端末Ａｎに計測データを送らせるようにコマンドを送るリトライ処理機能を備え、これにより計測データの取得の成功確率を向上させるようになっている。
【００２６】
ところで、センサ端末Ａｎ或いは通信ドライバＩＣ１２が何らかの原因でフリーズ状態に陥ると、通信異常が生じることになる。そこでマイコン１０に図３のフローチャートで示す通信異常の判定プログラムを実行することで実現される通信監視機能を備え、通信異常時にこれらフリーズ状態を上記スイッチ手段１４又は１５をオンオフすることで電源リセットを行い、フリーズ状態から正常な通信ができる状態に復帰させるようになっている。
【００２７】
つまり、監視装置Ｂからセンサ端末Ａｎを呼び出して当該センサ端末Ａｎから計測データを取得する通信をステップＳ１で開始する（ステップＳ１）と、通信ドライブＩＣ１２を通じてマイコン１０は通信状態を監視し、センサ端末Ａｎから計測データが取得できたか否かにより通信成功のチェック（ステップＳ２）を行い、成功した場合には今回取得した計測データが示す測定値と、メモリ１１にログ情報として保存している前回に取得した計測データとが同じ値であるかをステップＳ３でチェックし、同じ値でなければ正常と判定して、後述する第１，第２、第３の各内蔵カウンタのカウント値をステップＳ４でリセットした後、ステップＳ１へ戻り、次のセンサ端末Ａｎの計測データの取得動作へ戻るとともに今回の計測データをメモリ１１に当該センサ端末Ａｎのログ情報として記憶する。
【００２８】
ステップＳ３でのチェックで同じ値と判定された場合マイコン１０は第１内蔵カウントのカウント値に１を加え（ステップＳ５）、このカウント値が予め設定してある設定値ａ以上あるか否かを次のステップＳ６でチェックする。このチェックで設定値ａ未満であると判定された場合にはステップＳ１へ戻り、同じセンサ端末Ａｎの計測データの取得をリトライする。そして再度ステップＳ２、Ｓ３を経てステップＳ３でのチェックでメモリ１１に記憶している前回の測定値と同じでないと正常と判定されると、ステップＳ４で第１，第２、第３の各内蔵カウンタのカウント値をリセットした後、次のセンサ端末Ａｎの計測データの取得の通信へ戻るとともに今回の計測データをメモリ１１に当該センサ端末Ａｎのログ情報として記憶する。一方リトライにより取得した計測データがステップＳ３の判定で前回の測定値と同じであると判定された場合には、ステップＳ５で第１内蔵カウンタのカウント値に１を加え、ステップＳ６でカウント値と設定値ａとの比較を行う。ここでカウント値が設定値ａ未満であれば、ステップＳ１に戻って当該センサ端末Ａｎの計測データの取得をリトライする。以後リトライが繰り返され、第１内蔵カウンタのカウント値が設定値ａ以上となった場合、マイコン１０はセンサ端末Ａｎに起因する通信異常であると判定して、スイッチ手段１４をオンオフさせる。これにより通信ドライバＩＣ１２及びセンサ端末Ａｎへの電源供給がオンオフされ、通信ドライバＩＣ１２，センサ端末Ａｎに電源リセットがかかることになり、センサ端末Ａｎがフリーズ状態にあっても電源リセットにより正常動作に戻ることができることになる。そしてマイコン１０は第１内蔵カウンタ値をリセットし、ステップＳ１から当該センサ端末Ａｎに対する計測データの取得のための通信を再開する。
【００２９】
一方センサ端末Ａｎとの通信が成功せず、計測データの取得ができなかった場合、マイコン１０はステップＳ８で当該センサ端末Ａｎの存在を示す応答の有無をチェックし、当該センサ端末Ａｎからの応答があると、第２内蔵カウンタのカウント値に１を加え（ステップＳ９）、ステップＳ１０でカウント値が予め設定している設定値ｂ以上あるのか否かのチェックを行い、設定値ｂ未満であればステップＳ１に戻り、当該センサ端末Ａｎの計測データの取得をリトライする。そしてステップＳ２のチェックで通信成功があれば、上述したステップＳ３以降の処理を行う。一方再度通信が不成功と判定された場合にはステップＳ８にて当該センサ端末Ａｎの存在応答の有無をチェックする。そして存在応答があればステップＳ９で第２内蔵カウンタのカウント値に１を加え、ステップＳ１０でカウント値と設定値ｂとの比較を行い、カウント値が設定値ｂ未満の場合は再度ステップＳ１に戻って当該センサ端末Ａｎの計測データの取得をリトライする。以後通信不成功によるリトライが繰り返され、第２内蔵カウンタのカウント値が設定値ｂ以上となった場合、マイコン１０は通信ドライバＩＣ１２に起因する通信異常であると判定して、スイッチ手段１５をオンオフさせる。これにより通信ドライバＩＣ１２への電源供給がオンオフされ（ステップＳ１１）、通信ドライバＩＣ１２に電源リセットがかかることになり、通信ドライバＩＣ１２がフリーズ状態にあっても電源リセットにより正常動作に戻ることができることになる。そしてマイコン１０は第２内蔵カウンタ値をリセットし、ステップＳ１から当該センサ端末Ａｎに対する計測データの取得のための通信を再開する。
【００３０】
ところで、ステップＳ８でのチェックで当該センサ端末Ａｎの存在応答がないと判定された場合には、マイコン１０は第３内蔵カウンタのカウント値に１を加え（ステップＳ１２）、ステップＳ１３でカウント値が予め設定している設定値ｃ以上あるのか否かのチェックを行い、設定値ｃ未満であればステップＳ１に戻り、当該センサ端末Ａｎの計測データの取得をリトライする。そして通信が不成功で且つステップＳ８のチェックで存在応答がないと判定された場合にはステップＳ１２で第３内蔵カウンタのカウント値に１を加え、ステップＳ１３でカウント値と設定値ｃとの比較を行い、カウント値が設定値ｃ未満の場合は再度ステップＳ１に戻って当該センサ端末Ａｎの計測データの取得をリトライする。以後存在応答無しによるリトライが繰り返され、第３内蔵カウンタのカウント値が設定値ｃ以上となった場合、マイコン１０は当該センサ端末Ａｎが外されたと判断し（ステップＳ１４）、例えば当該センサ端末ＡｎのＩＤコードのメモリ１１上の登録を抹消し、以後、当該センサ端末Ａｎに対する通信を止める。またユーザーに知らせるためにマイコン１０に付設した通信部１６からネットワーク等を通じて通知するようにしても良い。
【００３１】
ところでスイッチ手段１４の代わりに図１の破線で示すように電源部１３の入力電源接続側の電路にスイッチ手段１４’を挿入し、このスイッチ手段１４’をオンオフすることで、センサ端末Ａｎ及び通信ドライバＩＣ１２の電源リセットを行うようにしても良い。
【００３２】
また電源部１３を構成する３端子レギュレータＩＣに外部信号で電源出力をオンオフすることができる機能を持つものを使用し、上述の通信ドライバＩＣ１２及びセンサ端末Ａｎに対する電源リセットを行う場合のリセット手段として上記機能を利用しても良い。
【００３３】
またセンサ端末Ａｎを追加、削減する場合、活線状態で行うと結線ミスなどあった場合、センサ端末Ａｎや通信ドライバＩＣ１２にダメージを与えることになる。そこでスイッチ手段１４（或いはスイッチ手段１４’）をマイコン１０を通じてオフせる機能を付加すればリセット手段と電源のオンオフスイッチとを兼ねることができる。この場合マイコン１０に対して付設する操作部（図示せず）やネットワークを通じて電源オフを任意に指令することができるようにすれば良い。この場合接続されたセンサ端末Ａｎで異常が発生したときに、ネットワークを通じて監視しているユーザーがネットワークを通じて電源オフを指令することも可能となる。
【００３４】
尚電源部１３からの電源供給をオンオフしてもマイコン１０，メモリ１１への電源供給は独立して行われるため監視装置Ｂの基本的な機能の動作は維持される。
【００３５】
【発明の効果】
請求項１の発明は、通信ドライバのフリースが起因となる通信異常が起きた場合に、自動的に通信ドライバを電源リセットすることで、通信ドライバを正常に動作できる状態に復帰させることができ、その結果長時間に亘るシステムダウンを防ぐことができる。
【００３６】
請求項２の発明は、センサ端末のフリースが起因となる通信異常が起きても、自動的にセンサ端末及び通信ドライブを同時に電源リセットすることで、センサ端末及び通信ドライバを正常に動作できる状態に復帰させることができ、その結果長時間に亘るシステムダウンを防ぐことができる。
【００３７】
請求項３の発明は、通信ドライバに起因する通信異常と、センサ端末に起因する通信異常の何れが起きても電源リセットにより正常に動作できる状態に復帰させることができ、そのため高い信頼性を得ることができ、その上通信ドライバが起因する通信異常のようにセンサ端末の電源リセットが行う必要がない場合、通信ドライバのみを電源リセットすることができるため素早い復帰が可能となる。
【００３８】
請求項４の発明は、センサ端末の追加、削減等を行う場合等の施工時に監視装置全体の電源を落とすことなく、センサ端末や通信ドライバへの電源をオフすることができ、そのため施工時に結線間違いなど起きてもセンサ端末や通信ドライバにダメージを与えることがない。
【００３９】
請求項５の発明は、センサ端末が異常が発生した場合に、遠隔から電源をオフさせることもできる。
【図面の簡単な説明】
【図１】本発明の一実施形態を示すシステム構成図である。
【図２】同上におけるセンサ端末のブロック図である。
【図３】同上における通信異常の処理動作説明用フローチャートである。
【符号の説明】
Ａｎ  センサ端末
Ｂ  監視装置
Ｃ  通信ケーブル
１  温度センサＩＣ
１０  マイコン
１２  通信ドライバＩＣ
１４  スイッチ手段
１５  スイッチ手段
２０  ネット端末
３１  電源線
３２  通信線
３３  接地線
【図１】
2005020272.tif 000003
【図２】
2005020272.tif 000004
【図３】
2005020272.tif 000005